(57)【要約】【課題】  ディスク状記録媒体の袋への収納作業を自動化し、作業の効率化を図る。【解決手段】  ＣＤ処理装置７は、ＣＤ９４を収納可能な矩形サイズを有し、その一辺にのみ挿入口８０ａが形成された変形容易な袋部８０が複数連設された袋集合体８を袋部８０の１個分の長さずつＣＤ収納位置に搬送する収納袋搬送機構７４と、ＣＤ収納位置に設けられた、袋部８０の挿入口８０ａを開口させる開口部材７５と、ＣＤ９４を１枚ずつ開口部材７５により開口された袋部８０の挿入口８０ａから袋部８０内部に収納させるＣＤ移送機構７６と、ＣＤ収納位置の搬出方向下流端に配設され、ＣＤ９４が収納された袋部８０を直後方の袋部８０から切り離す切断部７７とを備える。【選択図】      図２
2005335728.tif 000002
【特許請求の範囲】
【請求項１】
ディスク状記録媒体を収納可能な矩形サイズを有し、その一辺にのみ挿入口が形成された変形容易な袋部が複数連設された長尺体を袋部１個分の長さずつ収納位置に搬送する搬送手段と、前記収納位置で前記袋部の挿入口を開口させる開口部材と、前記ディスク状記録媒体を１枚ずつ前記開口された挿入口を経て収納位置まで移送して前記袋部に収納させるディスク移送手段とを備えてなるディスク状記録媒体処理装置。
【請求項２】
前記長尺体はロール状に巻回されてなり、前記搬送手段は、ロール状の長尺体を回転可能に支持する支持部と、前記支持部から搬送路を介して前記収納位置まで前記袋部を繰り出す駆動手段とを備えたことを特徴とする請求項１記載のディスク状記録媒体処理装置。
【請求項３】
前記収納位置の搬出方向下流端に配設され、前記ディスク状記録媒体が収納された袋部を直後方の袋部から切り離す切断手段を備え、前記切断手段は、前記搬送手段によって前記袋部が前記収納位置から搬出方向に袋部１個分の長さ搬出されたときに駆動されるものであることを特徴とする請求項１又は２に記載のディスク状記録媒体処理装置。
【請求項４】
前記切断手段の下方適所に、切断された袋部を受け取る受け皿を有することを特徴とする請求項１〜３のいずれかに記載のディスク状記録媒体処理装置。
【請求項５】
前記ディスク状記録媒体に、フィルムに撮影された各コマ画像から得た各画像データを書き込む画像データ書込手段と、書き込み終了後のディスク状記録媒体を前記ディスク移送手段に受け渡す受け渡し手段とを備えたことを特徴とする請求項１〜４のいずれかに記載のディスク状記録媒体処理装置。
【発明の詳細な説明】
【技術分野】
【０００１】
本発明は、画像データをディスク状記録媒体に格納するディスク状記録媒体処理装置に関する。
【背景技術】
【０００２】
近年、写真館やＤＰ店等では、フィルムから写真のプリント処理を行うサービスだけではなく、スマートメディア（登録商標）等の小型メモリカードからなる記録媒体に格納された画像データからのプリント処理、サイムネイル画像がプリントされたインデックスプリントの生成処理等の種々のサービスが行なわるようになってきている。また、フィルムからフィルムスキャナによって読み取られた画像データを画像書き込み装置（ディスク状記録媒体処理装置）によってＣＤ等の記録媒体に格納して提供するサービスも行われるようになってきている。
【発明の開示】
【発明が解決しようとする課題】
【０００３】
ＣＤ等の記憶媒体は、その表面（記録面）に画像データを直接書き込むものであるため、記録面を保護する必要があり、ＤＰ店等ではこの種の注文があると画像データが格納されたＣＤを保護用の袋に収納する作業が増え、作業者の負担がより大きくなるという問題点があった。
【０００４】
本発明は、上記問題点を解消するためになされたものであり、ディスク状記録媒体の袋への収納作業を効率的に行なうディスク状記録媒体処理装置を提供することを目的とする。
【課題を解決するための手段】
【０００５】
請求項１に係るディスク状記録媒体処理装置は、ディスク状記録媒体を収納可能な矩形サイズを有し、その一辺にのみ挿入口が形成された変形可能な袋部が複数連設された長尺体を袋部１個分の長さずつ収納位置に搬送する搬送手段と、前記収納位置で前記袋部の挿入口を開口させる開口部材と、前記ディスク状記録媒体を１枚ずつ前記開口された挿入口を経て収納位置まで移送して前記袋部に収納させるディスク移送手段とを備えてなるものである。
【０００６】
上記構成によれば、搬送手段によって、長尺体が袋部１個分の長さずつ収納位置に搬送され、開口部材によって、収納位置に搬送された袋部の挿入口が開口され、ディスク移送手段によって、ディスク状記録媒体が１枚ずつ開口された挿入口を経て収納位置まで移送され袋部に収納される。従って、ディスク状記録媒体の袋部への収納作業を自動的に行なうことが可能となり、作業の効率化が図られるとともに手作業によるディスク状記録媒体の損傷を防がれる。
【０００７】
請求項２に係るディスク状記録媒体処理装置は、請求項１記載のディスク状記録媒体処理装置において、前記長尺体はロール状に巻回されてなり、前記搬送手段は、ロール状の長尺体を回転可能に支持する支持部と、前記支持部から搬送路を介して前記収納位置まで前記袋部を繰り出す駆動手段とを備えたことを特徴とする。
【０００８】
上記構成によれば、支持部によって、ロール状の長尺体が回転可能に支持されており、駆動手段によって、支持部から搬送路を介して収納位置まで袋部が繰り出される。従って、ディスク状記録媒体の袋部への収納作業が終わる度に次の袋部が自動的に収納位置にセットされ、より一層作業の効率化が図られる。
【０００９】
請求項３に係るディスク状記録媒体処理装置は、請求項１または２に記載のディスク状記録媒体処理装置において、前記収納位置の搬出方向下流端に配設され、前記ディスク状記録媒体が収納された袋部を直後方の袋部から切り離す切断手段を備え、前記切断手段は、前記搬送手段によって前記袋部が前記収納位置から搬出方向に袋部１個分の長さ搬出されたときに駆動されるものであることを特徴とする。
【００１０】
上記構成によれば、切断手段は、搬送手段によって袋部が収納位置から搬出方向に袋部１個分の長さ搬出されたときに駆動され、ディスク状記録媒体が収納された袋部が直後方の（収納位置にある）袋部から切り離される。従って、袋部の切断作業も自動的に行なうことが可能となり、より一層作業の効率化が図られる。
【００１１】
請求項４に係るディスク状記録媒体処理装置は、請求項１〜３のいずれかに記載のディスク状記録媒体処理装置において、前記切断手段の下方適所に、切断された袋部を受け取る受け皿を有することを特徴とする。
【００１２】
上記構成によれば、切断された袋部は下方の受け皿で受け取られるため、袋部に収納されたディスク記録媒体は確実に受け取られる。
【００１３】
請求項５に係るディスク状記録媒体処理装置は、請求項１〜４のいずれかに記載のディスク状記録媒体処理装置において、前記ディスク状記録媒体に、フィルムに撮影された各コマ画像から得た各画像データを書き込む画像データ書込手段と、書き込み終了後のディスク状記録媒体を前記ディスク移送手段に受け渡す受け渡し手段とを備えたことを特徴とする。
【００１４】
上記構成によれば、画像データ書込手段によって、ディスク状記録媒体にフィルムに撮影された各コマ画像から得た各画像データを書き込まれ、書き込み終了後のディスク状記録媒体は受け渡し手段によってディスク移送手段に受け渡される。従って、画像データの書き込み作業からディスク状記録媒体の袋部への収納作業までを、一連かつ自動的に行なうことが可能となり、作業の効率化が図られる。
【発明の効果】
【００１５】
請求項１に係るディスク状記録媒体処理装置によれば、ディスク状記録媒体の袋部への収納作業を自動的に行なうようにしたので、作業の効率化を図ることができ、かつ、手作業によるディスク状記録媒体の損傷を防ぐことができる。
【００１６】
請求項２に係るディスク状記録媒体処理装置によれば、袋部の収納位置への搬送を自動的に行なうようにしたので、より一層作業の効率化を図ることができる。
【００１７】
請求項３に係るディスク状記録媒体処理装置によれば、収納後に袋部の切断作業を行なうようにしたので、より一層作業の効率化を図ることができる。
【００１８】
請求項４に係るディスク状記録媒体処理装置によれば、例えば複数のディスク状記録媒体の収納作業を行なう際に、ディスク記録媒体が収納された袋部が受け皿上に積載されるため、ディスク状記録媒体を一枚一枚取りに行く作業を省くことができ、作業の効率化を図ることができる。
【００１９】
請求項５に係るディスク状記録媒体処理装置によれば、画像データの書き込み作業からディスク状記録媒体の袋部への収納作業までを、一連かつ自動的に行なうようにしたので、作業の効率化を図ることができるとともに手作業によるディスク状記録媒体の損傷を防止できる。
【発明を実施するための最良の形態】
【００２０】
以下、図１〜図６を用いて本発明の一実施形態について説明する。図１は、本発明に係る写真処理システムの概略構成図の一例である。写真処理システム１は、外部から入力された注文情報を受け付ける受付装置２と、受付装置２から入力された注文情報に従い、フィルム処理装置５、写真出力装置６、ＣＤ処理装置７等を制御する全体制御装置３と、現像処理を施すフィルム現像機４と、現像処理によってフィルム９１に可視化された画像を光学的に読み取りコマ毎にディジタルデータ（画像データ）を生成すると共に、フィルムを所定コマ数毎に切断してネガシート９２を生成するフィルム処理装置５と、写真９３をプリントして出力する写真出力装置６と、ＣＤ−Ｒ（ＣＤ  ｒｅｃｏｒｄａｂｌｅ）又はＣＤ−ＲＷ（ＣＤ  ｒｅｗｒｉｔａｂｌｅ）（ここでは、これらを総称してＣＤ９４という）に画像データを書き込み、画像データが書き込まれたＣＤ９４を収納袋に収納するＣＤ処理装置７（記録媒体処理手段に相当する）とを備えている。
【００２１】
受付装置２は、パーソナルコンピュータ等からなり、受付装置２の全体の動作を制御する制御部と、外部からの操作を受け付ける図略のキーボード、マウス等からなる操作部と、外部に画像を出力するモニタと、全体制御装置３と通信を行う通信制御部等とを備える。受付装置２は、操作部を介して外部からの入力を受け付けて、例えば、注文者の氏名、住所、電話番号、電子メールアドレス等の情報と、フィルム９１の写真９３へのプリントサイズ、及びプリント枚数と、ＣＤ９４への画像データの格納の要否とを含む注文情報を受け付けるものである。
【００２２】
全体制御装置３は、パーソナルコンピュータ等からなり、受付装置２の全体の動作を制御する制御部と、外部からの操作を受け付ける図略のキーボード、マウス等からなる操作部と、外部に画像を出力するモニタと、受付装置２、フィルム処理装置５、写真出力装置６及びＣＤ処理装置７と通信を行う通信制御部等とを備える。全体制御装置３は、受付装置２から受信した注文情報に従って、画像データのプリント処理、画像データのＣＤ９４への書き込み処理等を実行させるべく各種の指示情報を各装置に対して出力するものである。また、全体制御装置３は、フィルム処理装置５で読み取られたフィルム９１毎の画像データを一時的に格納するものである。
【００２３】
フィルム現像機４は、フィルム９１を処理液の充填された処理タンク内を通過させてフィルム９１に現像処理を施すものであって、コマ毎の画像を可視化する。
【００２４】
フィルム処理装置５は、フィルム現像機４によって現像されたフィルム９１に光を当てて、透過光をＣＣＤ（ｃｈａｒｇｅ  ｃｏｕｐｌｅｄ  ｄｅｖｉｃｅ）などの撮像素子で受光することによってフィルム９１のコマ毎の画像データを得るフィルムスキャナ（図示省略）と、現像済みのフィルム９１を所定のコマ数（ここでは、６コマ）に切断した後、袋状のフィルム収納部を多数並設してなる帯状のフィルムシートに収納して、ネガシート９２を生成するフィルム収納部とを備える。フィルムスキャナによって得られた画像データは、フィルム９１毎に全体制御装置３、写真出力装置６、ＣＤ処理装置７に伝送される。
【００２５】
写真出力装置６は、全体制御装置３からの指示情報等を受信し、フィルム処理装置５から画像データを受信して、指示情報に応じて画像データを用いて写真９３を印画紙にプリントして出力するものである。写真出力装置６は、長尺印画紙を巻回収納したマガジン（図示省略）と、該マガジンから引き出した印画紙を所定サイズに切断する切断部（図示省略）と、切断された印画紙片上に全体制御装置３から送信された画像（画像データ）を露光する露光部（図示省略）と、露光された印画紙片を現像、漂白、定着及び安定化処理する現像処理部（図示省略）と、現像された印画紙片を乾燥する乾燥部（図示省略）等で構成されている。
【００２６】
図２は、ＣＤ処理装置７の一実施形態を示す一部被断斜視図の一例である。図３は、図２のＸ−Ｘ線断面図である。図４は、ＣＤ９４を収納する収納袋の一例を示す図である。ＣＤ処理装置７は、フィルム処理装置５によって得られた画像データをＣＤ９４に書き込む画像書き込み部７０と、画像データの書き込み終了後のＣＤ９４を収納袋に収納するＣＤ収納部７１とを本実施形態では一体の筐体として備える。
【００２７】
画像書き込み部７０は、筐体の右奥側に配置され、書き込み前のＣＤ９４に画像データの書き込みを行うヘッドを有するＣＤライタ（画像データ書込手段に相当する。以下、ＣＤライタ７０とも称する）である。
【００２８】
ＣＤ収納部７１は、筐体の奥部であって筐体の手前側には向けて傾斜して形成されたシュータ部７３と、画像データの書き込み終了後のＣＤ９４をシュータ部７３（受け渡し手段の一部に相当する）に移送するＣＤ受け渡し機構７２（受け渡し手段の一部に相当する）と、図４に示すようなＣＤ９４を収納可能な矩形サイズを有し、その一辺にのみ挿入口８０ａが形成された変形容易な袋部８０が複数連設された長尺の袋集合体８（長尺体に相当する）を袋部８０の１個分の長さずつＣＤ収納位置に搬送する収納袋搬送機構７４（搬送手段に相当する）と、ＣＤ収納位置に設けられた袋部８０の挿入口８０ａを開口させる開口部材７５と、ＣＤ９４を１枚ずつ開口部材７５により開口された袋部８０の挿入口８０ａから袋部８０内部に収納させるＣＤ移送機構７６（ディスク移送手段に相当する）、ＣＤ収納位置の搬出方向下流端に配設され、ＣＤ９４が収納された袋部８０を直後方の袋部８０から切り離す切断部７７（切断手段に相当する）と、切断部７７により切断されたＣＤ９４が収納された袋部８０を受け取る受け皿７８とを備える。
【００２９】
さらに、ＣＤ処理装置７は、全体の動作を制御するマイクロコンピュータ、メモリ等からなる制御部７９（図５参照）とを備えている。制御部７９は、全体制御装置３から画像データと共にＣＤ９４に画像データを書き込むための書き込み指示情報を受信すると、装置各部を制御して、画像データをＣＤ９４に書き込み、画像データが書き込まれたＣＤ９４を袋に収納するものである。
【００３０】
ＣＤ受け渡し機構７２は、バキューム機能によりＣＤ９４を吸着する吸着部７２１１を有する移動用アーム７２１と、移動用アーム７２１をＣＤライタ７０、シュータ部７３間でスライド自在に支持するガイド部材７２２と、移動用アーム７２１の吸着部７２１１による吸着及びその解除を制御する吸着制御部７２３（図５参照）と、移動用アーム７２１をガイド部材７２２に沿ってスライドさせる駆動手段であるモータ７２４（図５参照）とを備え、移動用アーム７２１により画像データの書き込み終了後のＣＤ９４を吸着して、シュータ部７３に移送するものである。
【００３１】
収納袋搬送機構７４は、ロール状に巻回された袋集合体８を回転可能に支持する回転軸７４１（支持部の一部に相当する）と、回転軸７４１を支持するコロ７４２（支持部の一部に相当する）と、袋集合体８の回転慣性による弛みを吸収するためのダンサーローラ７４３，７４４と、ＣＤ収納位置の上流側に設けられた従動ローラ対７４５と、従動ローラ対７４５とＣＤの直径寸法は少なくとも離間してＣＤ収納位置の下流側に設けられ、ＣＤの厚み以下に離間された表面が弾性体からなる駆動ローラ対７４６（駆動手段に相当する）とを備え、袋集合体８の袋部８０をＣＤ収納位置まで少なくとも繰り出すものである。駆動ローラ対７４６は、モータ７４７（図５参照）により駆動され、ロータリーエンコーダ等により検出されるモータ７４７の回転量から、制御部７９によって袋部８０の１個分の長さずつ袋集合体８が搬送されるように駆動制御される。
【００３２】
開口部材７５は、側断面がＣＤの移送方向に向けてハの字型をした一対の部材であり、重ね折りされて形成されている袋部８０の挿入口８０ａ側の先端に一部分け入る形で挿入（介在）されており、これによって挿入口８０ａを確実に開口すると共に一対部材の間を通してＣＤ９４を袋部８０の内部に挿入するガイドの役割を有するものである。図４に示すように、本実施形態では袋集合体８は互いに隣接する袋部８０の間に融着部８０ｂが設けられて各袋が形成されているもので、挿入口８０ａ側の一部は融着されていない。そのため、袋部８０の挿入口８０ａに開口部材７５が挿入された状態で、袋集合体８を搬送可能である。
【００３３】
ＣＤ移送機構７６は、シュータ部７３の下方部に設けられ、モータ７６７（図５参照）により駆動される駆動ローラ７６１と、袋部８０の挿入口８０ａ付近に設けられ、ＣＤの厚み以下に離間された表面が弾性体からなる従動ローラ対７６２と、駆動ローラ７６１と従動ローラ対７６２の下方の従動ローラとの間に掛けられた搬送ベルト７６３とからなる構成を所定距離離れて左右一対備えてなり、シュータ部７３を介して搬送ベルト７６３上に載置されたＣＤ９４を駆動ローラ７６１の駆動力により袋部８０の挿入口８０ａ付近に搬送し、さらに従動ローラ対７６２によりＣＤ９４を袋部８０の挿入口８０ａから内部に挿入するものである。
【００３４】
ＣＤ移送機構７６は、従動ローラ対７６２により袋部８０に挿入されたＣＤ９４の後端を押し込み、ＣＤ９４を袋部８０に完全に収納するためのＣＤ挿入機構７６４を備える。ＣＤ挿入機構７６４は、電磁ソレノイド７６４１からなり、プランジャであるアクチュエータ７６４２の先端には、長孔７６４４に嵌入された回動軸７６４５周りに揺動して、先端部分が左右の従動ローラ対７６２間に介入される揺動レバー７６４３が連結されている。アクチュエータ７６４２が引き込み駆動されると、揺動レバー７６４３の先端が図３の右方に移動してＣＤ９４の後端に当接し、そのままＣＤ９４を右方に移送して袋部８０に押し込む。
【００３５】
ＣＤ移送機構７６は、駆動ローラ７６１、従動ローラ対７６２間でのＣＤ９４を例えば光学的に検出し、ＣＤ９４を検出した場合に検出信号を後述する制御部７９に出力するセンサ７６５と、従動ローラ対７６２、開口部材７５間に搬送中のＣＤ９４を例えば光学的に検出し、ＣＤ９４を検出した場合に検出信号を後述する制御部７９に出力するセンサ７６６とを備える。駆動ローラ７６１等の駆動は、センサ７６５，７６６からの検出信号に基づいて制御部７９により後述するように制御される。
【００３６】
切断部７７は、袋集合体８の上面側に配設された上刃（図示省略）とその反対側に配設された下刃（図示省略）と、上刃を昇降させるモータ７７１（図５参照）とを備え、融着部８０ｂが切断位置に搬送された時点で切断を行なうものである。なお、融着部８０ｂにミシン目が予め設けられた袋集合体８を採用した方が、融着部８０ｂの切断が正確に行なわれるためより好ましい。また、ミシン目付きの袋集合体８を用いた場合は、切断部７７を採用せず、手動による切断を行なうことも可能となる。
【００３７】
図５はＣＤ処理装置７の制御部の構成を示す図である。図において図１〜３と同一符号を付したものは同一又は相当構成であるため、ここでは説明を省略する。制御部７９は、書き込み制御部７９１、ＣＤ受け渡し制御部７９２、ＣＤ移送制御部７９３、収納袋搬送制御部７９４、及び切断制御部７９５を備える。また、制御部７９は、ＯＳ（ｏｐｅｒａｔｉｎｇ  ｓｙｓｔｅｍ）等を予め記憶するＲＯＭ１０１と、処理途中の情報等を一時的に格納するＲＡＭ１０２に接続されている。
【００３８】
書き込み制御部７９１は、全体制御装置３から画像データと共にＣＤ９４に画像データを書き込むための書き込み指示情報を受信すると、ＣＤライタ７０を制御し、画像データのＣＤ９４への書き込み処理を行なわせるものである。
【００３９】
ＣＤ受け渡し制御部７９２は、ＣＤライタ７０によるＣＤ９４への画像データの書き込みの終了を受けて、吸着制御部７２１を介して移動用アーム７２１の吸着部７２１１によってＣＤ９４を吸着し、ＣＤ移送機構７６に受け渡すべく移動用アーム７２１をガイド部材７２２に沿ってシュータ部７３に移送し、この位置で吸着を解除するものである。
【００４０】
ＣＤ移送制御部７９３は、センサ７６５から検出信号を受信すると、ＣＤ９４が移動用アーム７２１によりシュータ部７３を介して搬送ベルト７６３上に移送されたと判断し、駆動ローラ７６１の駆動を行い、搬送ベルト７６３上のＣＤ９４の移送を開始させるものである。また、ＣＤ移送制御部７９３は、次いでセンサ７６５，７６６の両方から検出信号を受信すると、ＣＤ９４の先端が従動ローラ対７６２まで搬送されたと判断し、さらにセンサ７６６からの検出信号のみが受信されることとなると、ＣＤ９４が袋部８０に挿入中であると判断し、所定時間経過後にソレノイド７６４１の引き込み制御を行なわせ、ＣＤ挿入機構７６４によりＣＤ９４を袋部８０内部に挿入させる。
【００４１】
収納袋搬送制御部７９４は、収納袋搬送機構７４によって袋集合体８の袋部８０の１個分の長さを搬送するために必要な駆動ローラ対７４６のモータ７４７の回転量（駆動パルス数）等を予め記憶するＲＯＭ（図示省略）を備え、駆動ローラ対７４６のモータ７４７の回転量を制御することで、袋集合体８の袋部８０を１個分の長さずつ収納位置に搬送するものである。収納袋搬送制御部７９４は、ＣＤ９４の袋部８０への収納処理が終了すると、袋集合体８を袋部８０の１個分の長さ分搬送することで、ＣＤ９４が収納された袋部８０の融着部８０ｂを切断部７７による切断位置に搬送させる。即ち、本実施形態では、同時に次の袋部８０がＣＤ挿入位置に搬送される。
【００４２】
切断制御部７９５は、ＣＤ９４が収納された袋部８０が収納位置から搬出方向に袋部８０、１個分の長さが搬出されたときに切断部７７を駆動し、ＣＤ９４が収納された袋部８０を袋集合体８から切り離すものである。
【００４３】
図６はＣＤ処理装置７の動作を説明するためのフローチャートである。ここでは袋集合体８の袋部８０が挿入位置にセットされていない場合からのＣＤ処理装置７の動作を説明する。
【００４４】
書き込み制御部７９１によって、全体制御装置３から画像データと共にＣＤ９４に画像データを書き込むための書き込み指示情報が受信されると（ステップＳ１）、ＣＤライタ７０によって、ＣＤ９４に画像データが書き込まれる（ステップＳ３）。ＣＤライタ７０によるＣＤ９４への画像データの書き込みが終了すると、ＣＤ受け渡し制御部７９２によってＣＤ受け渡し機構７２が制御され、移動用アーム７２１により書き込み終了後のＣＤ９４が書込位置からシュータ部７３に移送される（ステップＳ５）。ＣＤ９４は、シュータ部７３をすべり落ちて搬送ベルト７６３上に移送されることとなる。
【００４５】
次に、収納袋搬送制御部７９４によって収納袋搬送機構７４が制御され、袋集合体８の袋部８０がＣＤ収納位置に搬送される（ステップＳ７）。
【００４６】
次に、ＣＤ移送制御部７９３によって、搬送ベルト７６３が駆動され、ＣＤ９４は従動ローラ対７６２、開口部材７５を介して袋部８０に収納される（ステップＳ９）。具体的には、ＣＤ移送制御部７９３によってセンサ７６５から検出信号が受信されると、駆動ローラ７６１が駆動され、搬送ベルト７６３によるＣＤ９４の移送が開始される。そして、ＣＤ９４は従動ローラ対７６２のニップ部を通過し、開口部材７５により開口された挿入口８０ａを経てＣＤ収納位置まで移送される。ＣＤ移送制御部７９３によって、センサ７６６からの検出信号が検出されてから一定時間経過後に、ソレノイド７６４１が駆動され、揺動レバー７６４３の先端部がＣＤ９４の後端部に当接し、ＣＤ９４が袋部８０内部に押し込まれる。
【００４７】
次に、収納袋搬送制御部７９４によって収納袋搬送機構７４が制御され、袋集合体８が袋部８０の１個分の長さだけ搬送される（ステップＳ１１）。ＣＤ９４が収納された袋部８０の先端と反対側の融着部８０ｂが切断位置に搬送されると、切断制御部７９５によって切断部７７が駆動され、ＣＤ９４が収納された袋部８０が直後方の袋集合体８から切り離される（ステップＳ１３）。そして、切断された袋部８０は受け皿７８に載置される。
【００４８】
このように、本実施形態では、画像データの書き込みを行ない、書き込み処理後のＣＤ９４を自動的に袋集合体８に収納するので、作業の効率化を図ることができる。また、ＣＤ９４の記録面に指紋や傷がつく等、手作業によるＣＤ９４の損傷を防ぐことができる。また、ＣＤ９４の袋部８０への収納処理を行う度に袋集合体８を袋部８０の１個分の長さずつ搬送し、次の袋部８０をＣＤ収納位置にセットするため、袋の交換を自動的に行なうことができ、より一層作業の効率化が図られる。さらに、ＣＤ９４が収納された袋部８０がＣＤ収納位置から搬送方向に袋部８０の１個分の長さだけ搬送される毎に切断部７７を駆動する切断制御部７９５を備えているので、袋部８０の切断作業を効率的に、かつ、正確に行なうことができる。さらに、切断部７７の下方に切断されたＣＤ９４が収納された袋部８０を受け取る受け皿７８を備えているので、複数のＣＤ９４への画像データの書き込み処理を行う際に、複数のＣＤ９４が収納された袋が受け皿７８上に積載されるため、一枚一枚ＣＤ９４を取りに行く作業を省くことができ、作業の効率化につながる。
【００４９】
なお、本発明は以下の形態をとることができる。
【００５０】
（Ａ）本実施形態において、袋部８０の挿入口８０ａを開口させる開口部材７５は固定設置されているが、袋部８０の挿入口８０ａに対し挿脱可能な開口部材７５を設け、袋部８０がＣＤ収納位置に搬送される度に、開口部材７５を挿入口８０ａに挿入し、ＣＤ９４の袋部８０への収納処理が終了すると、開口部材７５を挿入口８０ａから抜き出すように制御するようにしてもよい。この構成では、開口部材７５の先端に可撓性を有するガイド片等を設け、これにより挿入口８０ａを確実に押し広げるようにすればよい。これにより、袋部８０の融着部を深さ方向全長に亘ったものも使用可能となる。
【００５１】
（Ｂ）本実施形態において、モータ７４７の回転量から袋部８０がＣＤ収納位置から搬出方向に袋部８０の１個分の長さを搬送するように制御しているが、これに限定されず、例えば光を透過する材質の袋部８０と光を透過しない材質の融着部８０ｂとからなる袋集合体８を用い、光学的に検出するセンサによって搬送長を検出するようにしてもよい。
【００５２】
（Ｃ）ＣＤ収納位置への袋部８０の搬送と切断とのタイミングは同期していなくてもよく、直後方の袋部８０にＣＤが入った後の搬送途中の所定位置で最先端の袋部８０の切断を行うようにしてもよい。
【００５３】
（Ｄ）本実施形態において、ＣＤ処理装置７において画像書き込み部７０とＣＤ収納部７１は一体化されているが、別々の装置に構成し、画像データが書き込まれたＣＤを搬送ベルト等の移送手段によりＣＤ収納部７１に受け渡す構成にしてもよい。
【００５４】
（Ｅ）本実施形態においては、画像データをＣＤ−ＲＷに記録する場合について説明したが、その他の記録媒体に記録する形態でもよい。例えば、ＣＤ−Ｒ、ＤＶＤ−Ｒ、ＤＶＤ−ＲＷ、ＤＶＤ＋ＲＷ、ＤＶＤ−ＲＡＭ等に記録する形態でもよい。
【図面の簡単な説明】
【００５５】
【図１】本発明に係る写真処理システムの概略構成図の一例である。
【図２】ＣＤ処理装置の斜視図の一例である。
【図３】図２に示すＸ−Ｘ線断面図である。
【図４】ＣＤを収納する収納袋の一例を示す図である。
【図５】ＣＤ処理装置の制御部の構成を示す図である。
【図６】ＣＤ処理装置の動作を説明するためのフローチャートである。
【符号の説明】
【００５６】
７  ＣＤ処理装置
７０  画像書き込み部（ＣＤライタ）
７１  ＣＤ収納部
７２  ＣＤ受け渡し機構
７３  シュータ部
７４  収納袋搬送機構
７５  開口部材
７６  ＣＤ移送機構
７７  切断部
７８  受け皿
９４  ＣＤ
【図１】
2005335728.tif 000003
【図２】
2005335728.tif 000004
【図３】
2005335728.tif 000005
【図４】
2005335728.tif 000006
【図５】
2005335728.tif 000007
【図６】
2005335728.tif 000008